(57)【特許請求の範囲】
【請求項１】
装着物を着脱可能に保持する機器本体と、
支軸によって前記機器本体に回動可能に連結されて、前記機器本体を吊り下げ支持可能であり、吊り下げ支持した前記機器本体に前記支軸回り方向のモーメントが生じる位置に配置された支持部と、
前記支持部が前記機器本体を吊り下げ支持する位置において前記機器本体と前記支持部との相対回動を同時に規制する第１のストッパ部および第２のストッパ部と、
を備えた電子機器。
【請求項２】
前記モーメントの方向は、前記機器本体が前記装着物を装着した状態と前記機器本体が前記装着物を装着していない状態とで同じである請求項１に記載の電子機器。
【請求項３】
前記第１のストッパ部は、前記支持部と前記機器本体との一方に設けられた収容部と、
前記支持部と前記機器本体との他方に設けられ、前記収容部に収容された状態で前記収容部に対して前記支軸周り方向に相対回動可能な係合部とを有し、
前記係合部は、
前記収容部に当接することで前記支持部に対する前記機器本体の回動を規制する請求項１または２に記載の電子機器。
【請求項４】
前記第２のストッパ部は、前記支持部と前記機器本体との一方に設けられた第１の嵌合部と、前記支持部と前記機器本体との他方に設けられ、前記第１の嵌合部に嵌脱可能であって前記第１の嵌合部と前記支軸周り方向に相対回動可能な第２の嵌合部とを有し、
前記第２の嵌合部は、前記第１の嵌合部と嵌合することで前記支持部に対する前記機器本体の回動を規制する請求項１ないし３のいずれか一つに記載の電子機器。
【請求項５】
前記支持部は、前記機器本体を吊り下げ支持する第１の位置と前記機器本体に沿う第２の位置と、の間で回動可能に前記機器本体に連結され、
前記支持部の自由端部は、前記支持部が第２の位置に位置した場合には、前記機器本体と当接して前記機器本体に対して位置決めされる請求項１ないし４のいずれか一つに記載の電子機器。
【請求項６】
前記機器本体は、前記装着物を着脱可能に保持する基部と、前記基部の上部に配置され前記基部の上部を覆う閉位置と前記上部を露出させる開位置との間で前記基部に回動可能に連結された蓋部と、を有し、
前記支持部は、前記機器本体を吊り下げ支持する第１の位置と前記基部に沿う第２の位置との間で回動可能に前記機器本体に連結され、
前記蓋部が前記開位置に位置した場合には、前記第２の位置から前記第１の位置への前記支持部の回動を前記蓋部が前記支持部と当接して規制する請求項１ないし４のいずれか一つに記載の電子機器。
【発明の詳細な説明】
【技術分野】
【０００１】
本発明の実施形態は、電子機器に関する。
【背景技術】
【０００２】
従来、用紙やバッテリーなどが装着される機器本体と、この機器本体に回動可能に連結されたハンドルとを備えるプリンタがある。このようなプリンタにあっては、使用者は、ハンドルを把持して持ち運びすることができる。
【先行技術文献】
【特許文献】
【０００３】
【特許文献１】特許第２８１２５０６号公報
【発明の概要】
【発明が解決しようとする課題】
【０００４】
しかしながら、このようなプリンタでは、用紙の残量やバッテリーの有無などによって機器本体の重心が変わると、ハンドルに対する機器本体の姿勢が変化するので、持ち運び難いという問題がある。
【課題を解決するための手段】
【０００５】
本実施形態の電子機器は、装着物を着脱可能に保持する機器本体と、支軸によって前記機器本体に回動可能に連結されて、前記機器本体を吊り下げ支持可能であり、吊り下げ支持した前記機器本体に前記支軸回り方向のモーメントが生じる位置に配置された支持部と、前記支持部が前記機器本体を吊り下げ支持する位置において前記機器本体と前記支持部との相対回動を同時に規制する第１のストッパ部および第２のストッパ部と、を備える。
【図面の簡単な説明】
【０００６】
【図１】第１の実施形態にかかる電子機器としてのプリンタを示す図であって、支持部が第１の位置に位置した状態を示す斜視図。
【図２】第１の実施形態にかかるプリンタを示す図であって、支持部が第２の位置に位置した状態を示す斜視図。
【図３】第１の実施形態にかかるプリンタを示す図であって、蓋部が開位置に位置した状態を示す斜視図。
【図４】第１の実施形態にかかる第１の位置に位置した支持部を示す斜視図。
【図５】第１の実施形態にかかる支持部の一端部を示す斜視図。
【図６】第１の実施形態にかかる機器本体を示す斜視図。
【図７】第２の実施形態にかかるプリンタを示す図であって、支持部が第２の位置に位置した状態を示す斜視図。
【図８】第２の実施形態にかかる第１の位置に位置した支持部を正面側から見て示す斜視図。
【図９】第２の実施形態にかかる第１の位置に位置した支持部を背面側から見て示す斜視図。
【図１０】図９中のＦ１０矢視図。
【発明を実施するための形態】
【０００７】
以下、図面を参照して、実施形態について詳細に説明する。以下の実施形態では、電子機器として、ロール状に巻回された用紙を引き出して印字する携帯型のプリンタについて説明する。なお、以下の複数の実施形態には、同様の構成要素が含まれている。よって、以下では、それら同様の構成要素には共通の符号を付与するとともに、重複する説明を省略する。また、各図では、便宜上、プリンタ１の基部１０の前後方向での後方をＸ方向、プリンタ１の基部１０の幅方向をＹ方向、プリンタ１の基部１０の高さ方向をＺ方向と記す。これらＸ方向、Ｙ方向、およびＺ方向は相互に直交している。
【０００８】
第１の実施形態を図１から図６を参照して説明する。
【０００９】
図１に示すように、プリンタ１は、印字動作を行う機器本体２と、機器本体２に連結され把持可能な支持部３と、を有している。プリンタ１は、可搬性を有している。支持部３は、機器本体２に対して起立した位置であって機器本体２を吊り下げ支持する第１の位置（図１参照）と、機器本体２の基部１０に沿う第２の位置（図２参照）との間で回動可能に機器本体２に連結されている。したがって、使用者（図示せず）は、支持部３を起立させて第１の位置に位置させた状態で支持部３を把持してプリンタ１を持ち運ぶことができる。支持部３は、別の言い方をすると、吊り下げ部やハンドルである。このプリンタ１は、機器本体２に装着されたバッテリー１３（図３参照）の電力によって印字動作等の動作を行う。
【００１０】
図３に示すように、本実施形態のプリンタ１で使用される用紙１００は、帯状に形成されてロール状に巻回されている。用紙１００は、例えばラベル用紙やレシート用紙等である。用紙１００は、機器本体２に収容されている。
【００１１】
図１および図２に示すように、機器本体２は、基部１０と、蓋部１１と、を有している。基部１０は、上面開口の略直方体状に形成されている。基部１０は、左右の幅方向よりも前後方向の方が長く形成されている。基部１０は、用紙１００およびバッテリー１３を着脱可能に保持する。用紙１００およびバッテリー１３は、装着物に相当する。一方、蓋部１１は、側面視で略三角形状に形成されている。蓋部１１は、ヒンジ部１２（図３参照）によって基部１０に回動可能に連結されている。詳しくは、蓋部１１は、基部１０の上部に配置され基部１０の上部を覆う閉位置（図１参照）と、基部１０の上部を露出させる開位置（図３参照）との間で基部１０に回動可能に連結されている。機器本体２には、開閉ロック部５０が設けられており、この開閉ロック部５０が、閉位置に位置する蓋部１１を基部１０に対して解除可能にロックする。また、機器本体２の前面（正面）２ａにおける基部１０と蓋部１１との間には、用紙１００を排出する排紙口２ｂが設けられている。
【００１２】
図３に示すように、基部１０は、第１の筐体１４を有しており、この第１の筐体１４に、用紙収容部１５やプラテンローラ１６、バッテリー１３、電源スイッチ１７、制御基板（図示せず）等が設けられている。一方、蓋部１１は、第２の筐体１８を有しており、この第２の筐体１８にタッチパネル付きディスプレイ１９（図２参照）や印字ヘッド２０等が設けられている。蓋部１１が閉位置に位置付けられた状態では、印字ヘッド２０とプラテンローラ１６とが対向する。蓋部１１が開位置に位置付けられた状態では、印字ヘッド２０とプラテンローラ１６との間が開放される。ここで、タッチパネル付きディスプレイ１９や制御基板、印字ヘッド２０は、電気電子部品であり、バッテリー１３の電力によって動作する。
【００１３】
第１の筐体１４は、上面開口の略箱状に形成されている。第１の筐体１４は、相互に離間して配置された一対の側壁部１４ａを有している。一方の側壁部１４ａには、バッテリー１３を着脱可能に保持するバッテリー保持部２１が設けられている。
【００１４】
バッテリー保持部２１は、一方の側壁部１４ａにおいて他方向の側壁部１４ａに向かって凹状に設けられており、バッテリー保持部２１は、第１の筐体１４の側方からバッテリー１３の挿入を受け付ける。バッテリー保持部２１は、第２の蓋部２２によって開閉される。第２の蓋部２２は、第２のヒンジ部２３によって側壁部１４ａに回動可能に連結されている。第２の蓋部２２は、例えば樹脂製であり、バッテリー保持部２１の入口２１ａに嵌脱可能となっている。
【００１５】
用紙収容部１５は、第１の筐体１４の後部に設けられている。用紙収容部１５は、下方に向かって凹状に設けられており、上面開口となっている。用紙収容部１５は、用紙投げ込み式であり、収容したロール状の用紙１００の下部外周を支持する。用紙収容部１５は、用紙１００を回転可能に保持しており、これにより、プラテンローラ１６による用紙１００の引き出しが可能となっている。
【００１６】
プラテンローラ１６は、歯車等で構成される動力伝達機構を介して駆動源であるモータに連結されている。プラテンローラ１６は、印字ヘッド２０によって用紙１００が押し付けられた状態で、モータによって回転駆動されることにより、用紙収容部１５に保持された用紙１００を引き出して搬送する。モータは、バッテリー１３の電力によって動作する。プラテンローラ１６は、用紙収容部１５に保持された用紙１００を引き出して搬送する搬送部に相当する。
【００１７】
印字ヘッド２０は、例えば、サーマルヘッドである。印字ヘッド２０は、プラテンローラ１６に対向配置されている。印字ヘッド２０は、プラテンローラ１６に対して接離可能に蓋部１１の内面に連結されている。印字ヘッド２０は、プラテンローラ１６に向けて付勢部材であるコイルばねによって付勢されている。コイルばねに付勢された印字ヘッド２０は、当該印字ヘッド２０とプラテンローラ１６との間に介在する用紙１００をプラテンローラ１６に押し付ける。これにより、プラテンローラ１６の搬送力が用紙１００に確実に伝達される。印字ヘッド２０は、一列に配置された複数の発熱素子を有しており、これらの複数の発熱素子に選択的に通電することで発熱素子を発熱させる。この発熱によって、印字ヘッド２０は、プラテンローラ１６に支持されるとともに発熱素子に重ねられた用紙１００に各種の情報を印字する。印字ヘッド２０は、印字部に相当する。
【００１８】
図１および図２に示すように、支持部３は、支軸３０によって機器本体２に回動可能に連結されており、機器本体２を吊り下げ支持可能である。
【００１９】
図４に示すように、支持部３は、一対のアーム部３ａと、一対のアーム部３ａ同士を接続した把持部３ｂと、を有している。一対のアーム部３ａは、基部１０の幅方向に相互に間隔をあけて配置され、機器本体２を間に位置させた状態で相互に対向している。各アーム部３ａの一端部には、支軸３０が一体に設けられている。一対の支軸３０は、同一軸上に配置されている。一方の支軸３０は、機器本体２の基部１０の一方の側壁部１４ａに連結されており、他方の支軸３０は、機器本体２の基部１０の他方の側壁部１４ａに連結されている。詳しくは、各支軸３０は、各側壁部１４ａの上部に形成された軸孔１４ｃ（図６参照）に挿入されている。なお、図６では、一方の軸孔１４ｃのみが示されている。アーム部３ａは、支軸３０回り方向（図中の矢印ＡやＢの方向）に回動可能に機器本体２の基部１０に連結されている。把持部３ｂは、一対のアーム部３ａの他端部同士を接続している。支持部３は、例えば樹脂や金属等によって構成されている。把持部３ｂは、支持部３の自由端部３ｈを構成している。
【００２０】
支持部３に吊り下げ支持された状態の機器本体２と支持部３との相対回動は、ストッパ部４０（図５、図６参照）によって規制される。ストッパ部４０は、第１のストッパ部４１と、第２のストッパ部４２と、を有している。
【００２１】
第１のストッパ部４１は、図５や図６に示すように、支持部３に設けられた係合部３ｃ（図５参照）と、機器本体２の基部１０における第１の筐体１４に設けられた収容部１４ｄ（図６参照）と、を有している。なお、機器本体２に係合部３ｃを設け、支持部３に収容部１４ｄを設けてもよい。即ち、収容部１４ｄが支持部３と機器本体２との一方に設けられ、係合部３ｃが支持部３と機器本体２との他方に設けられていてよい。
【００２２】
図５に示すように、係合部３ｃは、各アーム部３ａの一端部の内面に凸状に設けられている（図面では、一方の係合部３ｃが示されている）。係合部３ｃは、円弧部３ｄと、第１および第２の当接部３ｅ，３ｆとを有して、扇状に形成されている。円弧部３ｄは、支軸３０周り方向の円弧状に形成されている。第１および第２の当接部３ｅ，３ｆは、円弧部３ｄの両端部から相互に近づく方向に延出している。第１および第２の当接部３ｅ，３ｆの合流部に、支軸３０が連設されている。係合部３ｃは、収容部１４ｄの内部空間よりも小さく形成されており、支軸３０周り方向に収容部１４ｄと相対回動可能となっている。
【００２３】
図６に示すように、収容部１４ｄは、第１の筐体１４の各側壁部１４ａの外面の上部に凹状に設けられている（図面では、一方の収容部１４ｄが示されている）。収容部１４ｄは、係合部３ｃの第１の当接部３ｅと当接可能な第３の当接部１４ｅと、係合部３ｃの凸部３ｇと当接可能な第４の当接部１４ｆと、を有している。第３の当接部１４ｅと第４の当接部１４ｆとは、収容部１４ｄの上端部に直線状に設けられている。
【００２４】
第１のストッパ部４１では、係合部３ｃが、収容部１４ｄに当接（係合）することで支持部３に対する機器本体２の回動を規制する。詳細には、支持部３が第１の位置（図１）に位置した状態では、係合部３ｃの第１の当接部３ｅと収容部１４ｄの第３の当接部１４ｅとが当接しており、第２の位置から第１の位置へ向かう方向（図中の矢印Ａの方向）での支持部３の回動を規制する。一方、支持部３が第２の位置（図２参照）に位置した状態では、係合部３ｃの第２の当接部３ｆと収容部１４ｄの第４の当接部１４ｆとが当接しており、第１の位置から第２の位置へ向かう方向（図中の矢印Ｂの方向）での支持部３の回動を規制する。
【００２５】
第２のストッパ部４２は、図５や図６に示すように、支持部３に設けられた凸部３ｇ（図５参照）と、機器本体２の基部１０における第１の筐体１４に設けられた第１および第２の凹部１４ｇ，１４ｈ（図６参照）と、を有している。第１の凹部１４ｇは、第１の嵌合部に相当し、凸部３ｇは、第２の嵌合部に相当する。なお、機器本体２に凸部３ｇを設け、支持部３に凹部１４ｇ，１４ｈを設けてもよい。即ち、凹部１４ｇ，１４ｈが支持部３と機器本体２との一方に設けられ、凸部３ｇが支持部３と機器本体２との他方に設けられていてよい。
【００２６】
図５に示すように、凸部３ｇは、支持部３の各アーム部３ａに設けられた各係合部３ｃに一体に設けられている（図面では一方の凸部３ｇを示している）。凸部３ｇは、第１および第２の凹部１４ｇ，１４ｈに選択的に嵌脱可能であって第１および第２の凹部１４ｇ，１４ｈと支軸３０周り方向に相対回動可能である。凸部３ｇが第１の凹部１４ｇまたは第２の凹部１４ｈに嵌合した状態から、アーム部３ａが回動することで、各アーム部３ａの弾性変形を伴って凸部３ｇが第１の凹部１４ｇまたは第２の凹部１４ｈから脱する。
【００２７】
図６に示すように、第１および第２の凹部１４ｇ，１４ｈは、第１の筐体１４の各側壁部１４ａに設けられた各収容部１４ｄに設けられている（図面では一方の第１および第２の凹部１４ｇ，１４ｈが示されている）。第１および第２の凹部１４ｇ，１４ｈは、第１および第２の凹部１４ｇ，１４ｈの回動経路に沿って相互に間隔をあけて配置されている。
【００２８】
第２のストッパ部４２は、凸部３ｇが、第１の凹部１４ｇまたは第２の凹部１４ｈと嵌合することで支持部３に対する機器本体２の回動を規制する。詳細には、支持部３が第１の位置（図１参照）に位置した状態では、凸部３ｇと第１の凹部１４ｇとが嵌合しており、図中の矢印Ａ方向およびＢ方向への支持部３の回動を規制する。一方、支持部３が第２の位置（図２参照）に位置した状態では、凸部３ｇと第２の凹部１４ｈとが嵌合しており、図中の矢印Ａ方向およびＢ方向への支持部３の回動を規制する。
【００２９】
第２のストッパ部４２は、第１のストッパ部４１が支持部３に対する機器本体２の回動を規制するのと同時に、支持部３に対する機器本体２の回動を規制する。つまり、本実施形態では、第１のストッパ部４１と第２のストッパ部４２とが、支持部３に対する機器本体２の回動を規制する。
【００３０】
上記構成の機器本体２の重心は、基部１０の前後方向で支軸３０の後方に位置している。機器本体２の重心は、用紙１００の使用量やバッテリー１３の装着状態の変化に応じて変わるが、基部１０の前後方向で支軸３０の後方に位置している点は変わらない。詳しくは、機器本体２の重心は、装着品である用紙１００が消費されて用紙１００の重量が軽くなるにしたがって変わるが、基部１０の前後方向で支軸３０の後方に位置している点は変わらない。また、機器本体２の重心は、装着品である用紙１００およびバッテリー１３が機器本体２に装着されている場合と、用紙１００およびバッテリー１３の一方または両方が機器本体２に装着されていない場合とで変わるが、基部１０の前後方向で支軸３０の後方に位置している点は変わらない。つまり、支持部３は、吊り下げ支持した機器本体２に支軸３０回り方向のモーメント（回転モーメント）が機器本体２の重量によって生じる位置に配置されている。前述のモーメントの方向は、機器本体２が装着物（用紙１００、バッテリー１３）を装着した状態と機器本体２が装着物（用紙１００、バッテリー１３）を装着していない状態とで同じであり、図中の矢印Ｂの方向である。
【００３１】
このような構成において、支持部３が第２の位置（図２参照）に位置した状態のプリンタ１を使用者が持ち上げる場合、一例として、使用者は、支持部３の把持部３ｂを把持して支持部３を第２の位置から第１の位置（図１参照）へ回動させる。この際、第１のストッパ部４１では、係合部３ｃの第１の当接部３ｅと収容部１４ｄの第３の当接部１４ｅとが当接して、第２の位置から第１の位置へ向かう方向（図中の矢印Ａの方向）での支持部３の回動を規制する。この状態から使用者がプリンタ１を持ち上げると、支持部３に吊り下げ支持された機器本体２には支軸３０回り方向（矢印Ｂの方向）のモーメントが生じるので、係合部３ｃの第１の当接部３ｅと収容部１４ｄの第３の当接部１４ｅとの当接が維持されて、第１のストッパ部４１による支持部３と機器本体２との相対回動の規制が維持される。この状態では、機器本体２の底面が略水平となる。一方、第２のストッパ部４２では、凸部３ｇが第２の凹部１４ｈから脱して第１の凹部１４ｇと嵌合して、第１のストッパ部４１による支持部３と機器本体２との相対回動を規制する。この規制は、使用者がプリンタ１を持ち上げても持ち上げて、機器本体２に支軸３０回り方向（矢印Ｂの方向）のモーメントが生じても維持される。以上により、使用者が、支持部３の把持部３ｂを把持してプリンタ１を持ち上げた場合、支持部３が常に第１の位置に位置する。
【００３２】
一方、使用者が、機器本体２を机等の載置部（図示せず）に置いて、支持部３を第１の位置（図１参照）から第２の位置（図２参照）に回動させると、第１のストッパ部４１では、係合部３ｃの第２の当接部３ｆと収容部１４ｄの第４の当接部１４ｆとが当接して、第１の位置から第２の位置へ向かう方向（図中の矢印Ｂの方向）での支持部３の回動を規制する。また、第２のストッパ部４２では、凸部３ｇが第１の凹部１４ｇから脱して第２の凹部１４ｈと嵌合して、支持部３の回動を規制する。この状態では、支持部３の把持部３ｂが機器本体２の背面に対向した状態で機器本体２から離間している。
【００３３】
また、本実施形態では、第１の位置（図１参照）に位置した支持部３は、蓋部１１の回動経路中に位置する。したがって、本実施形態では、蓋部１１を閉位置から開位置にする即ち全開にする場合は、支持部３を第２の位置に位置付ける。これにより、蓋部１１を閉位置から開位置にする即ち全開にすることが可能となる。そして、蓋部１１が開位置に位置した場合、第２の位置（図２参照）から第１の位置（図１参照）への支持部３の回動を蓋部１１が支持部３と当接して規制する。
【００３４】
以上説明したとおり、本実施形態では、ストッパ部４１が、支持部３に吊り下げ支持された状態の機器本体２と支持部３との相対回動を規制する。したがって、用紙１００やバッテリー１３の装着の有無や用紙１００の残量に関わらず、機器本体２が支持部３に対して位置決めされるので、プリンタ１の持ち運び性を良好にすることができる。
【００３５】
また、本実施形態では、ストッパ部４０が、第１のストッパ部４１と第２のストッパ部４２とを有しており、第１のストッパ部４１と第２のストッパ部４２とが、支持部３に吊り下げ支持された状態の機器本体２と支持部３との相対回動を規制する。したがって、機器本体２と支持部３との相対回動を規制するためにストッパ部４１に作用する負荷を第１のストッパ部４１と第２のストッパ部４２とに分散することができ、ストッパ部４１の長寿命化を図ることができる。
【００３６】
また、本実施形態では、蓋部１１が開位置に位置した場合には、第２の位置から第１の位置への支持部３の回動を蓋部１１が支持部３と当接して規制する。したがって、使用者が、用紙１００の補充のため等に、支持部３を第１の位置に位置させて蓋部１１をあけた状態では、支持部３を第１の位置へ動かすことが規制される。よって、蓋部１１を開けた状態でプリンタ１が持ち運ばれるのを抑制することができる。
【００３７】
次に、第２の実施形態を図７ないし図１０を参照して説明する。本実施形態は、基本的には第１の実施形態と同じであるが、図７に示すように、支持部３が第２の位置に位置した場合、支持部３の自由端部３ｈが機器本体２と当接して機器本体２に対して位置決めされる点が第１の実施形態と異なる。
【００３８】
本実施形態のストッパ部４０は、図８および図９に示すように、第１の実施形態と同様に、第１のストッパ部４１および第２のストッパ部４２を有している。そして、第２の位置に位置した支持部３の把持部３ｂが機器本体２と当接するように、第１のストッパ部４１および第２のストッパ部４２が構成されている。
【００３９】
そして、本実施形態の支持部３の把持部３ｂには、図９および図１０に示すように、当接部３ｉが設けられている。当接部３ｉ、把持部３ｂの左右の端部に一つずつ設けられている。当接部３ｉは、支持部３が第２の位置に位置した状態で、機器本体２の基部１０の背面と当接する。当接部３ｉは、支持部３の自由端部３ｈに含まれる。
【００４０】
以上説明した本実施形態でも、第１の実施形態と同様に、ストッパ部４０が、支持部３に吊り下げ支持された状態の機器本体２と支持部３との相対回動を規制する。したがって、プリンタ１の持ち運び性を良好にすることができる。
【００４１】
また、本実施形態では、支持部３が第２の位置に位置した場合には、支持部３の自由端部３ｈが、機器本体２と当接して機器本体２に対して位置決めされる。したがって、第２の位置に位置した支持部３を安定して保持することができる。
【００４２】
以上説明したとおり、上記の各実施形態によれば、持ち運び性が良好なプリンタを提供することができる。
【００４３】
なお、上記各実施形態では、電子機器としてプリンタを例に説明したが、これに限るものではない。例えば、電子機器は、情報記憶媒体に対して情報を読み書きするリーダライタ等であってもよい。また、電子機器は、一取引に係る商品の登録、精算処理を行うＰＯＳ端末やカード支払いによる決算処理が可能なカード処理決済端末等であってもよい。
【００４４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４５】
１  プリンタ
２  機器本体
３  支持部
３ｈ  自由端部
３ｃ  係合部
３ｇ  凸部
１０  基部
１１  蓋部
１３  バッテリー
１４ｄ  収容部
１４ｇ  凹部
３０  支軸
４０  ストッパ部
１００  用紙
【図１】
0005558445.tif 000002
【図２】
0005558445.tif 000003
【図３】
0005558445.tif 000004
【図４】
0005558445.tif 000005
【図５】
0005558445.tif 000006
【図６】
0005558445.tif 000007
【図７】
0005558445.tif 000008
【図８】
0005558445.tif 000009
【図９】
0005558445.tif 000010
【図１０】
0005558445.tif 000011